【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
複数の合成対象画像を合成して、前記合成対象画像よりも画素数の多い合成画像を生成する画像処理装置であって、
前記複数の合成対象画像の１つである基準画像において、あらかじめ設定された画像を含む特徴領域を検出する第１の検出手段と、
前記合成画像を生成する過程のデータを格納する記憶領域である合成領域に、前記基準画像の各画素を配置する第１の画素配置手段と、
前記複数の合成対象画像のうち、前記基準画像以外の１つを処理対象画像とし、該処理対象画像において前記あらかじめ設定された画像を含む特徴領域を検出する第２の検出手段と、
前記第２の検出手段により検出された特徴領域に対応する前記基準画像の基準領域に、前記あらかじめ設定された画像が含まれるか否かを判定する判定手段と、
前記判定手段による判定の結果、前記あらかじめ設定された画像が含まれない場合に、前記基準領域を前記第２の検出手段により検出された特徴領域により置き換える置き換え手段と、
前記置き換え手段による置き換えが行われた場合に、前記合成領域における、前記基準領域に対応する合成基準領域に配置されている画素を消去する消去手段と、
前記複数の合成処理対象画像の各々の画素を、前記合成領域中に配置する第２の画素配置手段と、
前記合成領域において、前記第２の画素配置手段により配置されなかった画素を、配置済みの画素から生成して配置して、合成画像を生成する第３の画素配置手段と、
を備えることを特徴とする画像処理装置。
【請求項２】
前記基準画像に含まれる各画素について、前記置き換え手段によって、当該各画素を、前記処理対象画像に含まれる画素で置き換えることを禁止するか否かを示す置き換え禁止情報をさらに備え、
前記置き換え手段は、前記基準領域を前記特徴領域により置き換える際に、置き換えられた前記基準領域に含まれる画素に対応する前記置き換え禁止情報を、置き換えを禁止することを示すように設定し、
前記判定手段は、前記置き換え禁止情報を参照し、前記基準領域に含まれる画素の中に、置き換えを禁止された画素が存在しない場合に、前記基準画像に前記あらかじめ設定された画像が含まれないと判定する
ことを特徴とする請求項１に記載の画像処理装置。
【請求項３】
前記第１の検出手段は、前記基準領域に含まれる画素に対応する前記置き換え禁止情報を、置き換えを禁止することを示すように設定することを特徴とする請求項２に記載の画像処理装置。
【請求項４】
前記置き換え禁止情報は、前記基準画像の画素数分のデータにより構成されることを特徴とする請求項２又は３に記載の画像処理装置。
【請求項５】
前記合成領域において前記合成画像に含まれるべき各画素が配置されているか否かを示すプロット情報をさらに備え、
前記消去手段は、前記合成基準領域に対応する画素が配置されていないと示すように前記プロット情報を設定することにより、前記合成基準領域に配置されている画素を消去する
ことを特徴とする請求項１乃至４のいずれか１項に記載の画像処理装置。
【請求項６】
前記プロット情報は、前記合成画像の画素数分のデータにより構成されることを特徴とする請求項５に記載の画像処理装置。
【請求項７】
前記複数の合成対象画像は、動画像データに含まれるフレーム画像から選択されることを特徴とする請求項１乃至６のいずれか１項に記載の画像処理装置。
【請求項８】
前記複数の合成対象画像の数を、外部からの指示に従って設定する合成対象画像数設定手段をさらに備えることを特徴とする請求項１乃至７のいずれか１項に記載の画像処理装置。
【請求項９】
前記合成領域に配置されている画素の配置目標量を、外部からの指示に従って設定する配置目標量設定手段をさらに備え、
前記第２の画素配置手段は、前記合成領域に配置されている画素が前記配置目標量以上であれば前記合成対象画像の合成を終了することを特徴とする請求項１乃至８のいずれか１項に記載の画像処理装置。
【請求項１０】
前記合成対象画像の合成をキャンセルするキャンセル指示を外部から受け付けるキャンセル指示受付手段をさらに備え、
前記第２の画素配置手段は、前記キャンセル指示を受けると前記合成対象画像の合成を終了することを特徴とする請求項１乃至９のいずれか１項に記載の画像処理装置。
【請求項１１】
前記合成対象画像の合成を行う時間の上限を示す処理時間を、外部からの指示に従って設定する処理時間設定手段をさらに備え、
前記第２の画素配置手段は、前記合成を開始してから前記処理時間が経過すると、前記合成対象画像の合成を終了することを特徴とする請求項１乃至１０のいずれか１項に記載の画像処理装置。
【請求項１２】
前記あらかじめ設定された画像とは、開いた状態である人物の目を示す画像であることを特徴とする請求項１乃至１１のいずれか１項に記載の画像処理装置。
【請求項１３】
前記あらかじめ設定された画像とは、閉じた状態である人物の口を示す画像であることを特徴とする請求項１乃至１１のいずれか１項に記載の画像処理装置。
【請求項１４】
前記処理対象画像の各々について、前記基準画像に対する移動量及び移動方向を動き情報として算出する算出手段と、
前記複数の処理対象画像の各々を、前記動き情報を用いて前記基準画像と位置合わせする位置合わせ手段と、
をさらに備え、
前記第２の検出手段、前記判定手段、及び、前記第２の画素配置手段はそれぞれ、前記位置合わせ手段により位置合わせされた処理対象画像に対して、前記検出、前記判定、及び、前記配置を行うことを特徴とする請求項１乃至１３のいずれか１項に記載の画像処理装置。
【請求項１５】
複数の合成対象画像を合成して、前記合成対象画像よりも画素数の多い合成画像を生成する画像処理方法であって、
前記複数の合成対象画像の１つである基準画像において、あらかじめ設定された画像を含む特徴領域を検出する第１の検出工程と、
前記合成画像を生成する過程のデータを格納する記憶領域である合成領域に、前記基準画像の各画素を配置する第１の画素配置工程と、
前記複数の合成対象画像のうち、前記基準画像以外の１つを処理対象画像とし、該処理対象画像において前記あらかじめ設定された画像を含む特徴領域を検出する第２の検出工程と、
前記第２の検出工程により検出された特徴領域に対応する前記基準画像の基準領域に、前記あらかじめ設定された画像が含まれるか否かを判定する判定工程と、
前記判定工程による判定の結果、前記あらかじめ設定された画像が含まれない場合に、前記基準領域を前記第２の検出工程により検出された特徴領域により置き換える置き換え工程と、
前記置き換え工程による置き換えが行われた場合に、前記合成領域における、前記基準領域に対応する合成基準領域に配置されている画素を消去する消去工程と、
前記複数の合成処理対象画像の各々の画素を、前記合成領域中に配置する第２の画素配置工程と、
前記合成領域において、前記第２の画素配置工程により配置されなかった画素を、配置済みの画素から生成して配置して、合成画像を生成する第３の画素配置工程と、
を備えることを特徴とする画像処理方法。
【請求項１６】
複数の画像を合成して、前記複数の画像よりも画素数の多い合成画像を生成する画像処理装置であって、
前記複数の画像において、人物の目を検出する目検出手段と、
前記複数の画像間での、画素のずれを検出するずれ検出手段と、
前記複数の画像において、前記ずれ検出手段の出力に基づいて前記複数の画像間の座標変換を行う座標変換手段と、
前記座標変換手段によって座標変換された前記複数の画像において、前記目検出手段により目が検出された画像と前記目検出手段により目が検出されなかった画像とがある場合には、前記目が検出されなかった画像の目に対応する領域を、前記目が検出された画像の目に対応する領域により置き換える置き換え手段と、
前記置き換え手段によって置き換えられた画像を含む前記複数の画像を合成することで、前記画像より画素数の多い合成画像を得る合成手段とを有することを特徴とする画像処理装置。
【請求項１７】
複数の画像を合成して、前記複数の画像よりも画素数の多い合成画像を生成する画像処理方法であって、
前記複数の画像において、人物の目を検出する目検出工程と、
前記複数の画像間での、画素のずれを検出するずれ検出工程と、
前記複数の画像において、前記ずれ検出工程の出力に基づいて前記複数の画像間の座標変換を行う座標変換工程と、
前記座標変換工程によって座標変換された前記複数の画像において、前記目検出工程により目が検出された画像と前記目検出工程により目が検出されなかった画像とがある場合には、前記目が検出されなかった画像の目に対応する領域を、前記目が検出された画像の目に対応する領域により置き換える置き換え工程と、
前記置き換え工程によって置き換えられた画像を含む前記複数の画像を合成することで、前記画像より画素数の多い合成画像を得る合成工程とを有することを特徴とする画像処理方法。
【請求項１８】
請求項１５又は１７の画像処理方法の各工程をコンピュータに実行させるためのプログラム。
【請求項１９】
請求項１８に記載のプログラムを記録したコンピュータ読み取り可能な記憶媒体。
【手続補正２】
【補正対象書類名】明細書
【補正対象項目名】０００７
【補正方法】変更
【補正の内容】
【０００７】
上記課題を解決するために、本発明の画像処理装置は、複数の合成対象画像を合成して、前記合成対象画像よりも画素数の多い合成画像を生成する画像処理装置であって、前記複数の合成対象画像の１つである基準画像において、あらかじめ設定された画像を含む特徴領域を検出する第１の検出手段と、前記合成画像を生成する過程のデータを格納する記憶領域である合成領域に、前記基準画像の各画素を配置する第１の画素配置手段と、前記複数の合成対象画像のうち、前記基準画像以外の１つを処理対象画像とし、該処理対象画像において前記あらかじめ設定された画像を含む特徴領域を検出する第２の検出手段と、前記第２の検出手段により検出された特徴領域に対応する前記基準画像の基準領域に、前記あらかじめ設定された画像が含まれるか否かを判定する判定手段と、前記判定手段による判定の結果、前記あらかじめ設定された画像が含まれない場合に、前記基準領域を前記第２の検出手段により検出された特徴領域により置き換える置き換え手段と、前記置き換え手段による置き換えが行われた場合に、前記合成領域における、前記基準領域に対応する合成基準領域に配置されている画素を消去する消去手段と、前記複数の合成処理対象画像の各々の画素を、前記合成領域中に配置する第２の画素配置手段と、前記合成領域において、前記第２の画素配置手段により配置されなかった画素を、配置済みの画素から生成して配置して、合成画像を生成する第３の画素配置手段と、を備えることを特徴とする。
【手続補正３】
【補正対象書類名】明細書
【補正対象項目名】０００８
【補正方法】変更
【補正の内容】
【０００８】
また、本発明の画像処理方法は、複数の合成対象画像を合成して、前記合成対象画像よりも画素数の多い合成画像を生成する画像処理方法であって、前記複数の合成対象画像の１つである基準画像において、あらかじめ設定された画像を含む特徴領域を検出する第１の検出工程と、前記合成画像を生成する過程のデータを格納する記憶領域である合成領域に、前記基準画像の各画素を配置する第１の画素配置工程と、前記複数の合成対象画像のうち、前記基準画像以外の１つを処理対象画像とし、該処理対象画像において前記あらかじめ設定された画像を含む特徴領域を検出する第２の検出工程と、前記第２の検出工程により検出された特徴領域に対応する前記基準画像の基準領域に、前記あらかじめ設定された画像が含まれるか否かを判定する判定工程と、前記判定工程による判定の結果、前記あらかじめ設定された画像が含まれない場合に、前記基準領域を前記第２の検出工程により検出された特徴領域により置き換える置き換え工程と、前記置き換え工程による置き換えが行われた場合に、前記合成領域における、前記基準領域に対応する合成基準領域に配置されている画素を消去する消去工程と、前記複数の合成処理対象画像の各々の画素を、前記合成領域中に配置する第２の画素配置工程と、前記合成領域において、前記第２の画素配置工程により配置されなかった画素を、配置済みの画素から生成して配置して、合成画像を生成する第３の画素配置工程と、を備えることを特徴とする。